(57)【要約】      （修正有）【課題】ガイドロールにおけるウエブの抱角の大きさをより細かく調整することができ、このためガイドロールによるウエブに対するグリップ力をより精度良く調整することができるようになるためウエブの搬送時における製品不良の発生をより確実に抑制することができるウエブ案内装置およびウエブ案内方法を提供する。【解決手段】ウエブ案内装置は、その外周面の周方向における一部にウエブＷが張架されることにより当該ウエブＷの案内を行うガイドロール１０と、ガイドロールの近傍に設けられ、ガイドロールにより案内されるウエブＷに気体を噴射することによりこのガイドロールにおけるウエブＷの抱角を変化させる気体噴射部２４と、を備えている。【選択図】図２
2015048172.tif 000002
【特許請求の範囲】
【請求項１】
その外周面の周方向における一部にウエブが張架されることにより当該ウエブの案内を行うガイドロールと、
前記ガイドロールの近傍に設けられ、当該ガイドロールにより案内されるウエブに気体を噴射することによりこのガイドロールにおけるウエブの抱角を変化させる気体噴射部と、
を備えた、ウエブ案内装置。
【請求項２】
前記気体噴射部により噴射される気体の流量を調整するための流量調整部を更に備えた、請求項１記載のウエブ案内装置。
【請求項３】
前記気体噴射部は、前記ガイドロールにより案内されるウエブとの距離の大きさが調整可能となるよう移動自在となっている、請求項１または２記載のウエブ案内装置。
【請求項４】
前記気体噴射部を支持する支持アームを更に備え、
前記支持アームは前記ガイドロールの軸を中心として揺動するようになっている、請求項３記載のウエブ案内装置。
【請求項５】
前記気体噴射部は、前記ガイドロールの軸方向と平行に延びるようになっており、
前記気体噴射部には、気体を噴射するためのスリットが当該気体噴射部の長手方向に沿って形成されている、請求項１乃至４のいずれか一項に記載のウエブ案内装置。
【請求項６】
前記気体噴射部の長手方向における前記スリットの長さは、前記ガイドロールの軸方向長さよりも大きくなっている、請求項５記載のウエブ案内装置。
【請求項７】
前記気体噴射部は、前記ガイドロールの軸方向と平行に延びるようになっており、
前記気体噴射部には、気体を噴射するための複数の穴が当該気体噴射部の長手方向に沿って並ぶよう形成されている、請求項１乃至４のいずれか一項に記載のウエブ案内装置。
【請求項８】
前記気体噴射部の長手方向における前記各穴の設置領域の長さは、前記ガイドロールの軸方向長さよりも大きくなっている、請求項７記載のウエブ案内装置。
【請求項９】
前記気体噴射部に形成された前記各穴は、気体が前記気体噴射部の長手方向における外側に向かって斜めに噴射されるような向きとなっている、請求項７または８記載のウエブ案内装置。
【請求項１０】
ガイドロールの外周面の周方向における一部にウエブを張架させることにより当該ウエブの案内を行う工程と、
前記ガイドロールにより案内されるウエブに気体を噴射することによりこのガイドロールにおけるウエブの抱角を変化させる工程と、
を備えた、ウエブ案内方法。
【発明の詳細な説明】
【技術分野】
【０００１】
本発明は、紙やフィルム、アルミニウム等の帯状のシート状物であるウエブをガイドロールにより案内するウエブ案内装置およびウエブ案内方法に関する。
【背景技術】
【０００２】
従来から、印刷装置等において、紙やフィルム、アルミニウム等の帯状のシート状物であるウエブを複数のガイドロールにより案内しながら搬送する際に、ガイドロールによるウエブに対するグリップ力の違いによってウエブに様々な製品不良が生じることが知られている。具体的には、ガイドロールによるウエブに対するグリップ力が大き過ぎる場合には、当該ウエブにシワが発生してしまうおそれがある。一方、ガイドロールによるウエブに対するグリップ力が小さ過ぎる場合には、ウエブが蛇行したりスリップ傷が生じてしまったりするおそれがある。また、ウエブの搬送時における製品不良の発生は、ウエブの材質（例えば、紙、フィルム、アルミニウム等）によっても左右されるようになっており、このようなウエブの製品不良の発生を抑制するにあたり、ウエブの材質毎の対応が望まれている。
【０００３】
ウエブの搬送時における製品不良の発生を抑制するにあたり、ガイドロールによるウエブに対するグリップ力を大きくする方法としては、ガイドロールの外周面に溝加工を施したり、ガイドロールにおけるウエブの抱角を大きくしたりする方法が知られている。ここで、「ガイドロールにおけるウエブの抱角」とは、ガイドロールの断面図において、当該ガイドロールの外周面におけるウエブが接触している箇所の中心角（すなわち、ガイドロールの外周面におけるウエブが接触している円弧の長さを当該ガイドロールの円周長さで割り算した値に３６０°を掛けた角度）のことをいう。一方、ガイドロールによるウエブに対するグリップ力を小さくする場合には、ガイドロールの外周面に施された溝加工を除去したり、ガイドロールにおけるウエブの抱角を小さくしたりする。
【０００４】
しかしながら、ガイドロールによるウエブに対するグリップ力を大きくするにあたりガイドロールの外周面に溝加工を施す場合には、ガイドロールを別途製作した上で、適正なグリップ力となるようガイドロールの外周面に溝加工を施すにあたり製作コストが大きくなったり製作期間が長くなってしまったりするという問題がある。また、ガイドロールにおけるウエブの抱角を変化させる方法では、この抱角の大きさを一度設定しまうと変更することが困難であるという問題がある。
【０００５】
これに対して、特許文献１や特許文献２では、可動ロールを設置することによりガイドロールにおけるウエブの抱角を容易に変化させることができ、所望の大きさの抱角を得られるようにすることができる抱角調整方法が開示されている。具体的には、特許文献１や特許文献２に開示される抱角調整方法では、ウエブの搬送方向におけるガイドロールの直前の箇所に可動ロールを設置し、この可動ロールを移動させることでウエブの抱角を変化させるようになっている。
【先行技術文献】
【特許文献】
【０００６】
【特許文献１】特許第３６１１３１１号公報
【特許文献２】特開２０１３−１０９７８号公報
【発明の概要】
【発明が解決しようとする課題】
【０００７】
しかしながら、特許文献１や特許文献２に開示されるような抱角調整方法では、可動ロール等の機械的手段によりガイドロールにおけるウエブの抱角の大きさを調整しているため、当該抱角についてより細かい調整を行うことができないという問題があった。
【０００８】
本発明は、このような点を考慮してなされたものであり、ガイドロールにより案内されるウエブに気体を噴射することによりこのガイドロールにおけるウエブの抱角を変化させるため、可動ロール等の機械的手段によりガイドロールにおけるウエブの抱角の大きさを調整する場合と比較して、当該抱角についてより細かい調整を行うことができ、このことによりガイドロールによるウエブに対するグリップ力をより精度良く調整することができるようになるためウエブの搬送時における製品不良の発生をより確実に抑制することができるウエブ案内装置およびウエブ案内方法を提供することを目的とする。
【課題を解決するための手段】
【０００９】
本発明のウエブ案内装置は、その外周面の周方向における一部にウエブが張架されることにより当該ウエブの案内を行うガイドロールと、前記ガイドロールの近傍に設けられ、当該ガイドロールにより案内されるウエブに気体を噴射することによりこのガイドロールにおけるウエブの抱角を変化させる気体噴射部と、を備えている。
【００１０】
このようなウエブ案内装置によれば、ガイドロールにより案内されるウエブに気体を噴射することによりこのガイドロールにおけるウエブの抱角を変化させるため、従来技術のような可動ロール等の機械的手段によりガイドロールにおけるウエブの抱角の大きさを調整する場合と比較して、気体噴射部により噴射される気体の流量を調整することにより当該抱角についてより細かい調整を行うことができる。このため、ガイドロールによるウエブに対するグリップ力をより精度良く調整することができるようになるため、ウエブの搬送時におけるシワや蛇行、スリップ傷等の製品不良の発生をより確実に抑制することができる。
【００１１】
本発明のウエブ案内装置は、前記気体噴射部により噴射される気体の流量を調整するための流量調整部を更に備えていてもよい。
【００１２】
本発明のウエブ案内装置においては、前記気体噴射部は、前記ガイドロールにより案内されるウエブとの距離の大きさが調整可能となるよう移動自在となっていてもよい。
【００１３】
この場合、ウエブ案内装置は、前記気体噴射部を支持する支持アームを更に備え、前記支持アームは前記ガイドロールの軸を中心として揺動するようになっていてもよい。
【００１４】
本発明のウエブ案内装置においては、前記気体噴射部は、前記ガイドロールの軸方向と平行に延びるようになっており、前記気体噴射部には、気体を噴射するためのスリットが当該気体噴射部の長手方向に沿って形成されていてもよい。
【００１５】
この場合、前記気体噴射部の長手方向における前記スリットの長さは、前記ガイドロールの軸方向長さよりも大きくなっていてもよい。
【００１６】
あるいは、前記気体噴射部は、前記ガイドロールの軸方向と平行に延びるようになっており、前記気体噴射部には、気体を噴射するための複数の穴が当該気体噴射部の長手方向に沿って並ぶよう形成されていてもよい。
【００１７】
この場合、前記気体噴射部の長手方向における前記各穴の設置領域の長さは、前記ガイドロールの軸方向長さよりも大きくなっていてもよい。
【００１８】
また、前記気体噴射部に形成された前記各穴は、気体が前記気体噴射部の長手方向における外側に向かって斜めに噴射されるような向きとなっていてもよい。
【００１９】
本発明のウエブ案内方法は、ガイドロールの外周面の周方向における一部にウエブを張架させることにより当該ウエブの案内を行う工程と、前記ガイドロールにより案内されるウエブに気体を噴射することによりこのガイドロールにおけるウエブの抱角を変化させる工程と、を備えていてもよい。
【００２０】
このようなウエブ案内方法によれば、ガイドロールにより案内されるウエブに気体を噴射することによりこのガイドロールにおけるウエブの抱角を変化させるため、従来技術のような可動ロール等の機械的手段によりガイドロールにおけるウエブの抱角の大きさを調整する場合と比較して、当該抱角についてより細かい調整を行うことができる。このため、ガイドロールによるウエブに対するグリップ力をより精度良く調整することができるようになるため、ウエブの搬送時におけるシワや蛇行、スリップ傷等の製品不良の発生をより確実に抑制することができる。
【発明の効果】
【００２１】
本発明のウエブ案内装置およびウエブ案内方法によれば、ガイドロールにおけるウエブの抱角の大きさをより細かく調整することができ、このためガイドロールによるウエブに対するグリップ力をより精度良く調整することができるようになるためウエブの搬送時における製品不良の発生をより確実に抑制することができる。
【図面の簡単な説明】
【００２２】
【図１】本発明の実施の形態によるウエブ案内装置の構成の概略を示す概略構成図である。
【図２】図１に示すウエブ案内装置の概略構成図において、気体噴射部によりウエブに気体を噴射することによりこのウエブの搬送経路が変えられたときの状態を示す図である。
【図３】図１等に示すウエブ案内装置における気体噴射機構およびガイドロールを上方から見たときの上面図である。
【図４】図１等に示すウエブ案内装置のガイドロールにおけるウエブの抱角を示す説明図である。
【図５】本発明の実施の形態によるウエブ案内装置における気体噴射機構の他の構成を示す上面図である。
【図６】本発明の実施の形態によるウエブ案内装置における気体噴射機構の更に他の構成を示す概略構成図である。
【図７】図６に示すウエブ案内装置の概略構成図において、気体噴射部によりウエブに気体を噴射することによりこのウエブの搬送経路が変えられたときの状態を示す図である。
【発明を実施するための形態】
【００２３】
以下、図面を参照して本発明の実施の形態について説明する。図１乃至図３は、本実施の形態に係るウエブ案内装置およびウエブ案内方法を示す図である。このうち、図１は、本実施の形態によるウエブ案内装置の構成の概略を示す概略構成図であり、図２は、図１に示すウエブ案内装置の概略構成図において、気体噴射部によりウエブに気体を噴射することによりこのウエブの搬送経路が変えられたときの状態を示す図である。また、図３は、図１等に示すウエブ案内装置における気体噴射機構およびガイドロールを上方から見たときの上面図である。なお、図４は、図１等に示すウエブ案内装置のガイドロールにおけるウエブの抱角を示す説明図である。
【００２４】
図１に示すように、本実施の形態のウエブ案内装置は、紙やフィルム、アルミニウム等の帯状のシート状物であるウエブＷの案内を行うガイドロール１０と、ガイドロール１０の近傍に設けられ、当該ガイドロール１０により案内されるウエブＷに空気等の気体を噴射する気体噴射部２４とを備えており、ガイドロール１０により案内されたウエブＷは巻取ロール１４により巻き取られるようになっている。ここで、図１に示すように、ガイドロール１０によりウエブＷが案内される際に、当該ガイドロール１０の外周面の周方向における一部にウエブＷが張架されるようになっている。また、気体噴射部２４によりウエブＷに気体が噴射されることにより、ウエブＷが気体により押されて当該ウエブＷの搬送経路が変化するようになっている。ガイドロール１０近傍でのウエブＷの搬送経路が変化すると、このガイドロール１０におけるウエブの抱角も変化するようになる。
【００２５】
ガイドロール１０におけるウエブＷの抱角について以下に説明する。ガイドロール１０におけるウエブＷの抱角とは、図４に示すようなガイドロール１０の断面図において、当該ガイドロール１０の外周面におけるウエブＷが接触している箇所（すなわち、参照符号Ａ〜Ｂの円弧部分）の中心角θのことをいい、このような抱角の大きさは、ガイドロール１０の外周面におけるウエブＷが接触している参照符号Ａ〜Ｂの円弧部分の長さを当該ガイドロール１０の円周長さで割り算して３６０°を掛けることにより算出される。
【００２６】
本実施の形態のウエブ案内装置において、気体噴射部２４は、ガイドロール１０により案内されるウエブＷとの距離の大きさが調整可能となるよう移動自在となっている。より詳細には、図１乃至図３に示すように、気体噴射部２４の両端部には、当該気体噴射部２４を支持する一対の支持アーム２２が設けられており、各支持アーム２２はガイドロール１０の回転軸１２を中心として揺動するようになっている。図１等ではガイドロール１０の回転軸１２を中心として各支持アーム２２を揺動させる機構については図示されていないが、実際にはエアシリンダ等により機械的に回転軸１２を中心として支持アーム２２を回転させたり、あるいは操作者が手動で回転軸１２を中心として支持アーム２２を回転させたりするようになっている。
【００２７】
図３に示すように、気体噴射部２４は、ガイドロール１０の回転軸１２の延びる方向（以下、軸方向ともいう）と平行に延びるようになっており、この気体噴射部２４には、気体を噴射するための細長いスリット２６が当該気体噴射部２４の長手方向（すなわち、図３の上下方向）に沿って直線状に形成されている。ここで、気体噴射部２４の長手方向におけるスリット２６の長さ（すなわち、図３の上下方向におけるスリット２６の長さ）は、ガイドロール１０の軸方向長さよりも大きくなっている。
【００２８】
また、図３に示すように、気体噴射部２４には気体供給配管２８の一端が接続されており、この気体供給配管２８の他端には気体供給部３０が接続されている。そして、この気体供給部３０から空気等の気体が気体供給配管２８を介して気体噴射部２４に送られ、気体噴射部２４に送られた空気等の気体はスリット２６から外部に噴射されるようになっている。また、気体供給配管２８には開閉弁２９が介設されており、当該開閉弁２９の開度を調整することにより、気体噴射部２４により噴射される気体の流量を調整することができるようになっている。
【００２９】
なお、本実施の形態では、上述した支持アーム２２、気体噴射部２４、気体供給配管２８、開閉弁２９、気体供給部３０等により気体噴射機構２０が構成されており、このような気体噴射機構２０はガイドロール１０に対して着脱自在になっている。このため、既設のガイドロール１０に対して気体噴射機構２０を後から取り付けることもできるようになる。
【００３０】
次に、このような構成からなるウエブ案内装置の動作、具体的にはウエブＷの案内方法について説明する。
【００３１】
図１に示すように、ウエブ案内装置に送られたウエブＷはガイドロール１０により案内され、巻取ロール１４により巻き取られる。ここで、ガイドロール１０によりウエブＷが案内される際に、当該ガイドロール１０の外周面の周方向における一部にウエブＷが張架される。また、図１に示す状態では、気体噴射部２４がウエブＷよりも下方に位置するようになっている。また、気体供給配管２８に介設された開閉弁２９は閉じられており、このことにより、気体噴射部２４から空気等の気体は噴射されていない。
【００３２】
図１に示す状態で、ガイドロール１０によるウエブＷに対するグリップ力が小さ過ぎることにより、ウエブＷが蛇行したりスリップ傷が生じてしまったりしている場合には、ガイドロール１０によるウエブＷに対するグリップ力を大きくする必要がある。具体的には、気体供給配管２８に介設された開閉弁２９を開くことにより、気体噴射部２４から空気等の気体を上方に噴射させる（図２において、気体噴射部２４から噴射された気体を参照符号Ｐで表示している）。また、図２の矢印に示すように、回転軸１２を中心として、ウエブＷに気体噴射部２４が接近する方向に（具体的には、図２における反時計回りの方向に）支持アーム２２を回転させる。このことにより、ガイドロール１０により案内されるウエブＷが、気体噴射部２４により噴射された気体により上方に押されるようになり、このウエブＷの搬送経路が上方に凸となるよう（すなわち、図２に示すような搬送経路となるよう）変化するようになる。この場合には、ガイドロール１０におけるウエブＷの抱角が大きくなり、よってガイドロール１０によるウエブＷに対するグリップ力も大きくなる。
【００３３】
ここで、本実施の形態では、支持アーム２２は回転軸１２を中心として揺動自在となっているため、ガイドロール１０により案内されるウエブＷと気体噴射部２４との間の距離の大きさを調整することができるようになっている。また、開閉弁２９の開度を調整することにより、気体噴射部２４により噴射される気体の流量を調整することができるようになっている。これらの特徴により、ガイドロール１０におけるウエブＷの抱角についてより細かい調整を行うことができ、このことによりガイドロール１０によるウエブＷに対するグリップ力をより精度良く調整することができるようになる。
【００３４】
一方、図１に示す状態で、ガイドロール１０によるウエブＷに対するグリップ力が大き過ぎることにより、ウエブＷにシワが生じてしまっている場合には、ガイドロール１０によるウエブＷに対するグリップ力を小さくする必要がある。この場合には、気体噴射部２４から空気等の気体が下方に噴射するように、スリット２６が下向きとなるよう各支持アーム２２をガイドロール１０の回転軸１２に取り付ける。この際に、気体噴射部２４がウエブＷよりも上方に位置するようにする。そして、気体供給配管２８に介設された開閉弁２９を開くことにより、気体噴射部２４から気体を下方に噴射させるとともに、回転軸１２を中心として、ウエブＷに気体噴射部２４が接近する方向に支持アーム２２を回転させる。このことにより、ガイドロール１０により案内されるウエブＷが、気体噴射部２４により噴射された気体により下方に押されるようになり、このウエブＷの搬送経路が下方に凸となるよう変化するようになる。この場合には、ガイドロール１０におけるウエブＷの抱角が小さくなり、よってガイドロール１０によるウエブＷに対するグリップ力も小さくなる。
【００３５】
以上のような構成からなる本実施の形態のウエブ案内装置によれば、ガイドロール１０により案内されるウエブＷに気体を噴射することによりこのガイドロール１０におけるウエブＷの抱角を変化させるため、従来技術のような可動ロール等の機械的手段によりガイドロール１０におけるウエブＷの抱角の大きさを調整する場合と比較して、気体噴射部２４により噴射される気体の流量を調整することにより当該抱角についてより細かい調整を行うことができる。このため、ガイドロール１０によるウエブＷに対するグリップ力をより精度良く調整することができるようになるため、ウエブＷの搬送時におけるシワや蛇行、スリップ傷等の製品不良の発生をより確実に抑制することができる。
【００３６】
また、本実施の形態のウエブ案内装置においては、前述したように、気体噴射部２４により噴射される気体の流量を調整するための流量調整部として開閉弁２９が気体供給配管２８に介設されている。このため、開閉弁２９の開度を調整することにより、気体噴射部２４により噴射される気体の流量をより細かく調整することができるようになる。
【００３７】
また、本実施の形態のウエブ案内装置においては、前述したように、気体噴射部２４は、ガイドロール１０により案内されるウエブＷとの距離の大きさが調整可能となるよう移動自在となっている。具体的には、気体噴射部２４を支持する支持アーム２２が設けられており、この支持アーム２２はガイドロール１０の回転軸１２を中心として揺動するようになっている。
【００３８】
また、本実施の形態のウエブ案内装置においては、前述したように、気体噴射部２４は、ガイドロール１０の軸方向と平行に延びるようになっており、この気体噴射部２４には、気体を噴射するためのスリット２６が気体噴射部２４の長手方向に沿って形成されている。このことにより、当該スリット２６から気体を気体噴射部２４の長手方向において均一に噴射させることができるようになる。また、気体噴射部２４の長手方向におけるスリット２６の長さは、ガイドロール１０の軸方向長さよりも大きくなっている。このことにより、ガイドロール１０により案内されるウエブＷの幅方向全域に気体を吹き付けることができるようになる。
【００３９】
なお、本実施の形態によるウエブ案内装置やウエブ案内方法は、上述したような態様に限定されることはなく、様々な変更を加えることができる。
【００４０】
例えば、ガイドロール１０により案内されるウエブＷに気体を噴射することによりこのガイドロール１０におけるウエブＷの抱角を変化させる気体噴射部２４は、図３に示すようなスリット２６が設けられたものに限定されることはない。気体噴射部２４の他の構成について図５を用いて説明する。図５に示すような変形例に係る気体噴射機構２０ａの気体噴射部２４では、直線状に延びるスリット２６の代わりに、気体を噴射するための複数の穴２７が気体噴射部２４の長手方向に沿って等間隔で並ぶよう形成されている。この際に、気体噴射部２４の長手方向における各穴２７の設置領域の長さは、ガイドロール１０の軸方向長さよりも大きくなっている。この場合には、ガイドロール１０により案内されるウエブＷの幅方向全域に気体を吹き付けることができるようになる。
【００４１】
また、気体を噴射するための複数の穴２７が気体噴射部２４の長手方向に沿って等間隔で並ぶよう形成されている場合において、各穴２７は、気体が気体噴射部２４の長手方向（図５の上下方向）における外側に向かって斜めに噴射されるような向きとなっていてもよい。この場合には、ガイドロール１０により案内されるウエブＷは、幅方向外方に広がるように気体噴射部２４の各穴２７から気体が吹き付けられるようになるため、幅方向においてウエブＷは外側にピンと広げられるようになり当該ウエブＷにシワが発生しているときにはこのシワを伸ばすことができるようになる。
【００４２】
また、本実施の形態によるウエブ案内装置の更に他の構成について図６および図７を用いて説明する。図６に示すようなウエブ案内装置において、気体噴射機構２０ｂは上下一対の気体噴射部２４ａ、２４ｂを有しており、これらの気体噴射部２４ａ、２４ｂが支持アーム２２により一体的に支持されるようになっていてもよい。ここで、上側に設けられた気体噴射部２４ａは上方に気体を噴射するようになっており、一方、下側に設けられた気体噴射部２４ｂは下方に気体を噴射するようになっている。
【００４３】
図６に示すような変形例に係るウエブ案内装置において、ガイドロール１０によるウエブＷに対するグリップ力が小さ過ぎることにより、ウエブＷが蛇行したりスリップ傷が生じてしまったりしている場合には、気体噴射機構２０ｂにおける上側に設けられた気体噴射部２４ａから空気等の気体を上方に噴射させる。また、回転軸１２を中心として、ウエブＷに上側の気体噴射部２４ａが接近する方向に支持アーム２２を回転させる。このことにより、ガイドロール１０により案内されるウエブＷが、気体噴射部２４により噴射された気体により上方に押されるようになり、このウエブＷの搬送経路が上方に凸となるよう変化するようになる。この場合には、ガイドロール１０におけるウエブＷの抱角が大きくなり、よってガイドロール１０によるウエブＷに対するグリップ力も大きくなる。
【００４４】
一方、図６に示すような変形例に係るウエブ案内装置において、ガイドロール１０によるウエブＷに対するグリップ力が大き過ぎることにより、ウエブＷにシワが生じてしまっている場合には、図７に示すように、下側の気体噴射部２４ｂをウエブＷよりも上方に位置させた状態で、気体噴射機構２０ｂにおける下側に設けられた気体噴射部２４ｂから空気等の気体（図７において参照符号Ｐで表示）を下方に噴射させる。また、下側の気体噴射部２４ｂをウエブＷよりも上方に位置させた状態から、回転軸１２を中心として、ウエブＷに当該気体噴射部２４ｂが接近する方向に支持アーム２２を回転させる。このことにより、図７に示すように、ガイドロール１０により案内されるウエブＷが、気体噴射部２４ｂにより噴射された気体により下方に押されるようになり、このウエブＷの搬送経路が下方に凸となるよう（すなわち、図７に示すような搬送経路となるよう）変化するようになる。この場合には、ガイドロール１０におけるウエブＷの抱角が小さくなり、よってガイドロール１０によるウエブＷに対するグリップ力も小さくなる。
【００４５】
このように、図６に示すような変形例に係るウエブ案内装置では、上下一対の気体噴射部２４ａ、２４ｂにより上下両方向に気体を噴射することができるようになるため、ガイドロール１０によるウエブＷに対するグリップ力が小さ過ぎる場合および大き過ぎる場合の両方に対応することができるようになる。
【符号の説明】
【００４６】
１０  ガイドロール
１２  回転軸
１４  巻取ロール
２０、２０ａ、２０ｂ  気体噴射機構
２２  支持アーム
２４、２４ａ、２４ｂ  気体噴射部
２６  スリット
２７  穴
２８  気体供給配管
２９  開閉弁
３０  気体供給部
Ｐ  気体
Ｗ  ウエブ
θ  抱角
【図１】
2015048172.tif 000003
【図２】
2015048172.tif 000004
【図３】
2015048172.tif 000005
【図４】
2015048172.tif 000006
【図５】
2015048172.tif 000007
【図６】
2015048172.tif 000008
【図７】
2015048172.tif 000009